(57)【要約】【課題】目的は、時刻情報を取得して時刻修正を行う際に受信状態が良好でない場合であっても、取得した時刻情報を無駄にすることなく、高い信頼性で短時間に時刻修正を行うことができる自動修正時計を提供する。【解決手段】制御回路１４は、複数の異なる設定時刻に、標準電波受信回路１１０８により受信した第１の時刻情報、および放送電波受信部１１００により受信した第２の時刻情報に基づいた補完および評価の結果に基づいて、内部時計１４０１が計時する時刻情報に関する誤差情報を生成し、当該生成した誤差情報に基づいて内部時計１４０１が計時する時刻情報を修正するので、たとえば受信環境が良好でない状態に変化した場合に、予め規定された個数以上の時刻情報を取得できない場合であっても、誤差情報に基づいて、内部時計１４０１が計時する時刻情報を修正することができる。【選択図】図２
2006258475.tif 000002
【特許請求の範囲】
【請求項１】
内部時計と、
第１の時刻情報を含む標準電波を受信する標準電波受信手段と、
第２の時刻情報を含む放送電波を受信する放送電波受信手段と、
前記標準電波受信手段および前記放送電波受信手段により受信した前記第１の時刻情報および第２の時刻情報のうち一方の時刻情報に関する評価を行う場合に、他方の時刻情報を用いて前記一方の時刻情報を補完して前記評価を行い、当該評価の結果に基づいて前記内部時計が計時する時刻情報を修正する制御手段と
を有する自動修正時計。
【請求項２】
前記制御手段は、前記標準電波受信手段および前記放送電波受信手段により受信した前記第１および第２の時刻情報のうち、予め規定した個数の前記第１および第２の時刻情報を特定し、前記特定した時刻情報に基づいて前記補完を行う
請求項１に記載の自動修正時計。
【請求項３】
前記制御手段は、異なる設定時刻に前記標準電波受信手段により受信した標準電波から第１の個数の前記第１の時刻情報を抽出した場合に、前記予め規定した個数から前記第１の個数を減算した第２の個数の前記第２の時刻情報を前記放送電波受信手段により受信し、当該受信した第２の時刻情報に基づいて前記抽出した第１の時刻情報を補完する
請求項２に記載の自動修正時計。
【請求項４】
前記制御手段は、異なる設定時刻に前記放送電波受信手段により受信した放送電波から第１の個数の前記第２の時刻情報を抽出した場合に、前記予め規定された個数から前記第１の個数を減算した第２の個数の前記第１の時刻情報を前記標準電波受信手段により受信し、当該受信した第１の時刻情報に基づいて前記抽出した第２の時刻情報を補完する
請求項２に記載の自動修正時計。
【請求項５】
前記制御手段は、前記評価の結果に基づいて前記標準電波受信手段または前記放送電波受信手段を選択し、設定時刻に、前記選択した前記標準電波受信手段または前記放送電波受信手段により受信した前記第１または前記第２の時刻情報に基づいて前記補完を行う
請求項１から請求項４のいずれかに記載の自動修正時計。
【請求項６】
前記制御手段は、前記評価の結果、異なる設定時刻に、前記標準電波受信手段により受信した前記標準電波から設定個数の前記第１の時刻情報を抽出できないと判別した場合に、前記放送電波受信手段により受信した放送電波に含まれる前記第２の時刻情報に基づいて前記第１の時刻情報を補完する
請求項５に記載の自動修正時計。
【請求項７】
前記制御手段は、前記評価の結果、異なる設定時刻に、前記放送電波受信手段により受信した前記放送電波から設定個数の前記第２の時刻情報を抽出できないと判別した場合に、前記標準電波受信手段により受信した標準電波に含まれる前記第１の時刻情報に基づいて前記第２の時刻情報を補完する
請求項５に記載の自動修正時計。
【請求項８】
前記第２の時刻情報は、少なくとも秒情報、および分情報を含み、
前記第１の時刻情報は、前記秒情報、前記分情報、時情報、および日情報を含み、
前記制御手段は、前記標準電波受信手段および前記放送電波受信手段により受信した前記第１および第２の時刻情報に基づいて、前記秒情報、前記分情報、前記時情報、および日情報を前記補完により取得し、前記取得した情報に基づいて前記内部時計が計時する時刻情報の修正を行う
請求項１から請求項７のいずれかに記載の自動修正時計。
【請求項９】
前記制御手段は、複数の異なる設定時刻に、前記標準電波受信手段により受信した前記第１の時刻情報、および前記放送電波受信手段により受信した前記第２の時刻情報に基づいた前記補完および前記評価の結果に基づいて、前記内部時計が計時する時刻情報に関する誤差情報を生成し、当該生成した誤差情報に基づいて前記内部時計が計時する時刻情報を修正する
請求項１から請求項８のいずれかに記載の自動修正時計。
【請求項１０】
内部時計と、
時刻情報を含む異なる種類の第１および第２のメディアそれぞれから前記時刻情報を取得する取得手段と、
前記取得手段により前記第１および第２のメディアそれぞれから取得した前記時刻情報のうち一方の時刻情報に関する評価を行う場合に、他方の時刻情報を用いて前記一方の時刻情報を補完して前記評価を行い、当該評価の結果に基づいて前記内部時計が計時する時刻情報を修正する制御手段と
を有する自動修正時計。
【発明の詳細な説明】
【技術分野】
【０００１】
本発明は、たとえば、時刻情報を含む標準電波、ラジオ放送、テレビジョン放送、衛星放送等の放送電波などの異なる種類のメディアから取得した時刻情報に基づいて時刻修正を行う自動修正時計に関するものである。
【背景技術】
【０００２】
たとえば、放送局から送信される放送電波に含まれる時刻情報に相当する時報信号を受信して、時刻修正を行う時計が知られている（たとえば、特許文献１参照）。
また、時刻情報を含む標準電波を受信して時刻修正を行う電波修正時計が知られている（たとえば、特許文献２参照）。
また、通常時に周波数が４０ｋＨｚの標準電波を受信して時刻修正を行い、その４０ｋＨｚの標準電波の受信状態が良好でない場合に、周波数が６０ｋＨｚの標準電波を受信して時刻修正を行う時計が知られている。
【特許文献１】実開平７−１２９９７号公報
【特許文献２】特開平１１−１８３６６４号公報
【発明の開示】
【発明が解決しようとする課題】
【０００３】
ところで、一般的に、受信した時刻情報を基に時刻修正を行う時計では、異なる設定時刻に複数の時刻情報を取得して時刻情報の評価を行うことで、時刻情報の信頼性を向上させる。しかし、この時計では、たとえば複数の時刻情報を取得中に受信状態が良好でない状態に変化したとき、所定の信頼性を確保するまで再度時刻情報を受信する必要があり、比較的長い処理時間を要する場合がある。
【０００４】
また、上述した時計では、単純に４０ｋＨｚの標準電波を受信して時刻情報を取得したが、たとえば受信状態が良好でないために、たとえば時刻情報の一部でも信頼性が確保できない場合に、取得した時刻情報を使用せずに、周波数が６０ｋＨｚの標準電波を受信して得られた時刻情報を用いて時刻修正を行うので、取得した時刻情報が無駄になる場合や比較的長い時間を要する場合がある。
【０００５】
本発明は、かかる事情に鑑みてなされたものであり、その目的は、時刻情報を取得して時刻修正を行う際に受信状態が良好でない場合であっても、取得した時刻情報を無駄にすることなく、高い信頼性で短時間に時刻修正を行うことができる自動修正時計を提供することにある。
【課題を解決するための手段】
【０００６】
前記目的を達成するために、本発明の第１の観点の自動修正時計は、内部時計と、第１の時刻情報を含む標準電波を受信する標準電波受信手段と、第２の時刻情報を含む放送電波を受信する放送電波受信手段と、前記標準電波受信手段および前記放送電波受信手段により受信した前記第１の時刻情報および第２の時刻情報のうち一方の時刻情報に関する評価を行う場合に、他方の時刻情報を用いて前記一方の時刻情報を補完して前記評価を行い、当該評価の結果に基づいて前記内部時計が計時する時刻情報を修正する制御手段とを有する。
【０００７】
また、前記目的を達成するために、本発明の第２の観点の自動修正時計は、内部時計と、時刻情報を含む異なる種類の第１および第２のメディアそれぞれから前記時刻情報を取得する取得手段と、前記取得手段により前記第１および第２のメディアから取得した前記時刻情報のうち一方の時刻情報に関する評価を行う場合に、他方の時刻情報を用いて前記一方の時刻情報を補完して前記評価を行い、当該評価の結果に基づいて前記内部時計が計時する時刻情報を修正する制御手段とを有する。
【発明の効果】
【０００８】
本発明によれば、時刻情報を取得して時刻修正を行う際に受信状態が良好でない場合であっても、取得した時刻情報を無駄にすることなく、高い信頼性で短時間に時刻修正を行うことができる自動修正時計を提供することができる。
【発明を実施するための最良の形態】
【０００９】
本発明の一実施形態に係る自動修正時計を採用した電波修正時計１は、たとえば、時刻情報を含む異なる種類の第１および第２のメディアそれぞれから時刻情報を取得し、その第１および第２のメディアそれぞれから取得した時刻情報のうち一方の時刻情報に関する評価を行う場合に、他方の時刻情報を用いて一方の時刻情報を補完して評価を行い、その評価の結果に基づいて内部時計が計時する時刻情報を修正する。
ここでメディアとは、たとえば、標準時刻情報を含む標準電波や、時報情報などの時刻情報を含むＡＭラジオ放送電波、ＦＭ放送電波、テレビジョン放送電波、デジタルテレビジョン放送電波、衛星放送電波などの時刻情報を含む媒体である。
また、上記メディアとして、たとえば時刻情報を提供するコンピュータから通信ネットワークなどの通信路を介して受信する時刻信号も含む。
【００１０】
詳細には、本実施形態に係る電波修正時計１は、第１の時刻情報を含む標準電波を受信する標準電波受信部と、第２の時刻情報を含む放送電波を受信する放送電波受信部と、標準電波受信部および放送電波受信部により受信した第１の時刻情報および第２の時刻情報のうち一方の時刻情報に関する評価を行う場合に、他方の時刻情報を用いて一方の時刻情報を補完して評価を行い、その評価の結果に基づいて内部時計が計時する時刻情報を修正する制御部とを有する。
【００１１】
本発明に係る放送電波は、たとえば上述したようにＡＭラジオ放送電波、ＦＭラジオ放送電波、テレビジョン放送電波、衛星放送電波などの時刻情報を含む放送電波である。たとえばこの放送電波は予め規定された周波数の時報信号を規定時間含む。
本実施形態では放送電波として、たとえばＡＭラジオ放送を採用する。
【００１２】
ＡＭラジオ放送に含まれる時報信号を採用する利点は、何点かある。
１．全国に複数の送信局が設置されている。
２．ＡＭラジオ放送電波の送信出力は、標準電波送信局の送信出力よりも大きい。
【００１３】
たとえばＡＭラジオ放送局は、都市部近郊から比較的大きな送信出力でＡＭラジオ放送を出力する。
たとえば札幌、東京、大阪、福岡等の都市部近郊には、表１に示すようにＡＭラジオ放送局が設置されている。札幌市、東京都、大阪府、福岡市等の都市部から５０ｋｍ以内にラジオ放送局が設けられている。
たとえば埼玉県南埼玉郡菖蒲町から東京ＮＨＫ第１放送、周波数５９４ｋＨｚ、送信出力３００ｋＷでＡＭラジオ放送電波が出力されている。大阪府南河内郡美原町丹上から大阪ＮＨＫ第１放送、周波数６６６ｋＨｚ、送信出力１００ｋＷでＡＭラジオ放送電波が出力されている。
【００１４】
【表１】
2006258475.tif 000003
【００１５】
３．ラジオ放送が行われている周波数帯のノイズに関する規格が規定されている。
多くの家庭電化製品等の電子装置は、この規格を満たすように設計されているために、それらの電子装置から出力されるノイズ強度が小さい。このためにＡＭラジオ放送の受信環境がよい。
【００１６】
また、ＡＭラジオ放送電波は中波放送帯で５２５ｋＨｚから１６０５ｋＨｚと規定されおり、標準電波の周波数は数１０ｋＨｚであり、同一のフェライトバーアンテナを用いてそれぞれの電波を受信することができ、アンテナを共通化することができる。また変調方式もＡＭ変調で同じであるので、ＡＭラジオ放送と、標準時刻電波信号の復調部を、一部共通化することができる。
以下、図面を参照しながら本実施形態に係る電波修正時計１を説明する。
【００１７】
図１は本発明の一実施形態に係る自動修正時計を採用した電波修正時計の機能ブロック図である。図２は図１に示した電波修正時計の詳細な機能ブロック図である。
【００１８】
本実施形態に係る電波修正時計１は、図１，２に示すように、電波受信系１１、スイッチ群１２、発振回路１３、制御回路１４、ドライブ回路１５、発光素子１６、バッファ回路１７、ドライブ回路１８、表示部２０、初期時刻情報入力部２１、電源制御回路２２、内部電池２３、外部電池２４、ディスプレイ３０、秒針用モータ１２１、時分針用モータ１３１、光検出センサ部１４０、内部時計１４０１、メモリ１４０２、トランジスタＱ１，Ｑ２、キャパシタＣ１２０１，Ｃ１２０２，Ｃ２，Ｃ３、および抵抗素子Ｒ１〜Ｒ４を有する。
【００１９】
制御回路１４は本発明に係る制御手段の一実施形態に相当する。内部時計１４０１は本発明に係る内部時計１４０１の一実施形態に相当する。電波受信系１１は標準電波受信手段および放送電波受信手段の一実施形態に相当する。
また、電波受信系１１は、本発明に係る取得手段の一実施形態に相当する。この取得手段は、時刻情報を含む異なる種類の第１および第２のメディアそれぞれから時刻情報を取得する。
【００２０】
本実施形態ではアナログ式の指針による時刻表示を行う場合に表示部２０として、ドライブ回路１５、発光素子１６、バッファ回路１７、ドライブ回路１８、ディスプレイ３０、秒針用モータ１２１、時分針用モータ１３１、光検出センサ部１４０、キャパシタＣ２，Ｃ３、トランジスタＱ１，Ｑ２、および抵抗素子Ｒ１〜Ｒ４を設ける。
また、表示部２０として液晶等のデジタル式の時刻表示装置（ディスプレイ）３０を用いてもよい。
【００２１】
電波受信系１１は、たとえば制御回路１４の制御により、設定された受信周波数で放送電波を受信する。また、電波受信系１１は、放送局から送信される復調処理を行い信号Ｓ１１０５として制御回路１４に出力する。
また、電波受信系１１は、たとえば制御回路１４の制御により、時刻情報を含む標準電波を受信して所定処理を施して、信号Ｓ１１０６として制御回路１４に出力する。
【００２２】
電波受信系１１は、たとえば図２に示すように、放送電波受信部１１００、標準電波（長波）受信回路１１０８、およびアンテナＡＮＴ１，ＡＮＴ２を有する。
放送電波受信部１１００は本発明に係る放送電波受信手段の一実施形態に相当する。標準電波受信回路１１０８は本発明に係る標準電波受信手段の一実施形態に相当する。
【００２３】
放送電波受信部１１００は、時刻情報を含む放送電波を受信し、受信結果を示す信号Ｓ１１０５を制御回路１４に出力する。たとえば、時刻情報は毎正時に含まれる時報信号を含む。
【００２４】
放送電波受信部１１００は、たとえば図２に示すように、同調回路１１０１、周波数変換回路１１０２、局部発振回路１１０３、周波数制御回路１１０４、中間周波増幅回路１１０５、検波回路１１０６、および時報検出回路１１０７を有する。
【００２５】
同調回路１１０１は、たとえばキャパシタやコイル等により構成され、周波数制御回路１１０４からの信号Ｓ１１０４により設定される周波数に同調し、アンテナＡＮＴ１で受信された放送電波から、設定された同調周波数の信号Ｓ１１０１を、周波数変換回路１１０２に出力する。
【００２６】
周波数変換回路１１０２は、同調回路１１０１から出力された信号Ｓ１１０１に、局部発振回路１１０３からの信号Ｓ１１０３ａを基に周波数変換処理を施して、中間周波信号Ｓ１１０２として中間周波増幅回路１１０５に出力する。
【００２７】
局部発振回路１１０３は、周波数制御回路１１０４から出力された信号Ｓ１１０４に応じた周波数で発振して、所定の周波数の信号Ｓ１１０３を出力する。
【００２８】
本実施形態では、周波数変換回路１１０２は、信号Ｓ１１０１と信号Ｓ１１０３ａとを混合して、周波数４５５Ｈｚの中間周波信号Ｓ１１０２を生成して出力する。局部発振回路１１０３は、制御回路１４の制御により、上述した中間周波信号Ｓ１１０２を生成するような周波数の信号Ｓ１１０３ａを生成する。
【００２９】
周波数制御回路１１０４は、制御回路１４からの制御信号ＣＴＬ１４１に基づいて所定周波数の信号Ｓ１１０４を生成し、局部発振回路１１０３に出力する。
【００３０】
図３は、図２に示した電波修正時計の電波受信系の一具体例を示す機能ブロック図である。
周波数制御回路１１０４は、たとえば図３に示すように、基準周波数発生回路４０１、第１分周回路４０２、第２分周回路４０３、位相比較器４０４、および制御電圧発生回路４０５を有する。
【００３１】
基準周波数発生回路４０１は、たとえば水晶振動子等を含む発振回路を有し、基準周波数の信号Ｓ４０１を生成して、第１分周回路４０２に出力する。
【００３２】
第１分周回路４０２は、基準周波数発生回路４０１から出力された信号Ｓ４０１を分周し、信号Ｓ４０２として位相比較器４０４に出力する。
【００３３】
第２分周回路４０３は、たとえば制御回路１４から出力された、分周比を設定させる制御信号ＣＴＬ１４１に基づいて、その設定された分周比で、局部発振回路１１０３から出力された信号Ｓ１１０３ｂを分周し、信号Ｓ４０３として位相比較器４０４に出力する。
【００３４】
位相比較器４０４は、第１分周回路４０２から出力された信号Ｓ４０２と、第２分周回路４０３から出力された信号Ｓ４０３とを比較し、比較結果を示す信号Ｓ４０４を出力する。
【００３５】
制御電圧発生回路４０５は、位相比較器４０４から出力された信号Ｓ４０４に基づいて、信号Ｓ１１０４を局部発振回路１１０３に出力する。
局部発振回路１１０３は、周波数制御回路１１０４から出力された信号Ｓ１１０４に応じた周波数で発振して、所定の周波数の信号Ｓ１１０３ａ，Ｓ１１０３ｂを出力する。
【００３６】
たとえば制御電圧発生回路４０５を制御回路１４が直接制御して局部発振回路１１０３の発振周波数を制御する場合では、各デバイスの温度変化や電池の消耗による電圧変動により、正確な周波数を維持することができないおそれがある。
これに対して、上述したようにＰＬＬループが形成された構成を採用すると、では、温度変化や電池の消耗による電圧変動等があった場合でも、局部発振回路１１０３が発振する信号Ｓ１１０３ａの周波数の変動を低減することができる。
【００３７】
つまり、制御回路１４は、上述した構成により、温度変化や電池の消耗による電圧変動があった場合でも、制御信号ＣＴＬ１４１により、信号Ｓ１１０１を中間周波信号Ｓ１１０２に変換する際に、周波数の変動を低減することができる。
【００３８】
このように、局部発振回路１１０３および周波数制御回路１１０４は、たとえばＰＬＬ（Phase Locked Loop）シンセサイザ方式により局部発振信号を生成するように構成することも可能であるが、必ず市もＰＬＬ構成を必要とするものではない。
本実施形態においては、１ｋＨｚ単位の精度の高い掃引はき必ずしも必要ではなく、発振周波数画１ｋＨｚ程度の刻みで掃引すればその間に必ず放送信号が捕捉可能である。したがって、いわゆるバリキャップによる自動選局方式のような構成も採用することが可能である。
【００３９】
ここで、放送信号であるＡＭ放送電波に含まれる時報信号について、図４および図５に関連付けて説明する。
【００４０】
図４は、一般的なＡＭラジオ放送電波に毎正時付近に含まれる時報信号の一具体例を示す図である。
たとえば、ラジオ放送局から送信されるＡＭラジオ放送電波には、毎正時（００分００秒）付近に図４に示すような時報信号ｄが含まれている。詳細にはたとえば５７秒，５８，５９秒に周波数４４０Ｈｚの予告信号（パルス信号）ｐがＡＭ変調され、毎正時（００分００秒）には予め設定された周波数、たとえば８８０Ｈｚの正時信号（減衰信号）ｄがＡＭ変調されている。たとえばパルス信号ｐおよび減衰信号ｄの立ち上がり時間Ｔ５７，Ｔ５８，Ｔ５９，Ｔ００それぞれが、秒同期している。
また、時報信号（正時信号）ｄは、図４に示すように、予め規定された周波数（たとえば８８０Ｈｚ）の時報信号ｄを規定時間Ｔｄ（たとえば１〜３秒程度）含む。
【００４１】
ところで、毎正時（００分００秒）を示す時報信号ｄの送信形式は、放送局毎に規定されている。一般的に時報信号の周波数は８８０Ｈｚであるが、その他放送局によっては、周波数５２２．３Ｈｚや１０４７Ｈｚなどの時報信号も送信する。
また、予告信号（前置信号）に関しても、放送局毎に規定されている。予告信号を送信せずに、図４に示した時報信号ｄのみを送信する放送局もある。
【００４２】
図５は、図１に示した電波修正時計１が受信する時報信号を説明するための図である。図５において横軸は時間、縦軸は信号レベルをそれぞれ示す。
放送電波に含まれる時報信号の規定時間Ｔｄは、放送局毎に規定されている。
時報信号ｄのレベルは、たとえば図５に示すように、正時（Ｔ００）に立ち上がり、時報信号ｄ１の場合には約１秒程度で減衰し、時報信号ｄ２の場合には約２秒程度で減衰し、時報信号ｄ３の場合には約３秒程度で減衰する。つまり図５に示すように時報信号ｄ１〜ｄ３それぞれの規定時間Ｔｄ１〜Ｔｄ３は、放送局によって異なる。
【００４３】
中間周波増幅回路１１０５は、たとえば自動利得制御回路（ＡＧＣ：Automatic Gain Control）により構成され、周波数変換回路１１０２から出力された信号Ｓ１１０２のレベルを設定された大きさとなるように増幅し、信号Ｓ１１０５として検波回路１１０６に出力する。
【００４４】
また、中間周波増幅回路１１０５は、たとえば信号Ｓ１１０２の大きさを示す指標となる搬送波レベル検出信号Ｓａｇｃを制御回路１４に出力する。
たとえば信号Ｓａｇｃは、中間周波増幅回路１１０５が、信号Ｓ１１０２を設定された大きさとなるように増幅する際のＡＧＣ制御電圧に基づいて搬送波レベル検出信号Ｓａｇｃを生成する。つまり信号Ｓａｇｃは自動利得制御回路による増幅の度合いを示す。
【００４５】
検波回路１１０６は、中間周波増幅回路１１０５から出力された信号Ｓ１１０５を検波して、信号Ｓ１１０６として時報検出回路１１０７に出力する。
検波回路１１０６は、たとえば信号Ｓ１１０５をＡＭ検波やＦＭ検波を行い信号Ｓ１１０７として時報検出回路１１０７に出力する。たとえば検波回路１１０６のＡＭ検波は一般的に用いられる検波方式、たとえば２乗検波、包絡線検波等により検波を行う。
【００４６】
時報検出回路１１０７は、検波回路１１０６から出力された信号Ｓ１１０６を基に、時報信号を検出し、検出結果を示す信号Ｓ１１０７を制御回路１４に出力する。
また、時報検出回路１１０７は、たとえば時報信号のレベルの立ち上がりエッジを検出して、検出結果を信号Ｓ１１０７として制御回路１４に出力する。
【００４７】
図６は、図２に示した電波修正時計１の時報検出回路１１０７の一実施形態を示す機能ブロック図である。
時報検出回路１１０７は、たとえば図６に示すように、フィルタ１１０７１、および信号処理回路１１０７２を有する。
フィルタ１１０７１は、信号Ｓ１１０６から時報信号に対応する周波数の信号、たとえば８８０Ｈｚの信号を抽出して信号Ｓ１１０７１を信号処理回路１１０７２に出力する。
信号処理回路１１０７２は、信号Ｓ１１０７１を受けて所定の信号処理を行い、処理結果を示す信号Ｓ１１０７を制御回路１４に出力する。
詳細には、たとえば信号Ｓ１１０７１を受けて、信号レベルの立ち上がりエッジを検出して、検出結果を信号Ｓ１１０７として制御回路１４に出力する。
【００４８】
標準電波（長波）受信回路１１０８は、たとえば初期時にアンテナＡＮＴ２を介して標準時刻電波信号を受信し、信号Ｓ１１０８として制御回路１４に出力する。制御回路１４は、初期時には、標準電波（長波）受信回路１１０８から出力された標準時刻電波信号（時刻コードとも言う）を示す信号Ｓ１１０８に基づいて内部時計１４０１が計時する時刻情報を修正する。
【００４９】
詳細には標準電波（長波）受信回路１１０８は、たとえば不図示のＲＦアンプ、検波回路、波形整形回路を有し、増幅処理、検波処理等を行い、処理結果の標準時刻信号を信号Ｓ１１０８として出力する。
【００５０】
なお、日本の標準電波は独立行政法人情報通信研究機構（ＮＩＣＴ：National Institute of Information and Communications Technology）のもとで運用されており、周波数４０ｋＨｚの標準電波を送信する標準電波送信所および周波数６０ｋＨｚの標準電波を送信する標準電波送信所が設けられている。
標準時刻電波信号は、たとえば、少なくとも標準時刻の秒毎にパルスのレベルが切り換わるように変調されている。また、標準時刻電波信号は、標準時刻のうち分情報、時情報、日情報、うるう秒情報、またはサマータイム情報のいずれかに応じて規定された信号を基に変調されている。
【００５１】
たとえば電波受信系１１で受信される標準電波は、図７（ａ）に示すような形態で送られてくる。
【００５２】
具体的には、時刻コードは１，０，Ｐの３種類の信号パターンからなり、１ｓｅｃの１信号パターン中の１００％振幅期間幅によって区別され、１，０，Ｐはそれぞれ５００ｍｓ，８００ｍｓ，２００ｍｓとなっている。変調方式は、最大値１００％，最小値１０％の振幅変調である。
【００５３】
そして、受信状態が良好な場合には、電波受信系１１からは図７（ｂ）に示すように、標準電波信号に応じたパルス信号として信号Ｓ１１０８が、制御回路１４に出力される。
【００５４】
この信号Ｓ１１０８は、たとえば第１のレベルに相当するハイレベルと、第２のレベルに相当するローレベルにより構成されている。制御回路１４は、ハイレベル、およびローレベル、ならびに、ハイレベルからローレベルへの立下りエッジｅｄ１、およびローレベルからハイレベルへの立上がりエッジｅｄ２に基づいて受信状態の評価処理を行う。エッジｅｄ１およびエッジｅｄ２を区別しない場合には、単にエッジｅｄという。
【００５５】
次に、長波標準電波の送信データについて説明する。
図８は、標準時刻電波信号の時刻コードの一例を示している。図８（ａ）は毎時１５，４５分以外のフォーマット、図８（ｂ）は、毎時１５分，４５分のフォーマットを示す。
送信情報は、分・時・１月１日からの積算日となっている。
時刻データの送信は、１ｂｉｔ／秒で１分間を１フレームとしており、このフレーム内に前述した分・時・１月１日からの積算日の情報がＢＣＤコードで提供されている。また送信されるデータは、０・１の他にＰコードというマーカーが含まれており、このＰコードは、１フレームに数カ所あり、正分（０秒）、９秒、１９秒、２９秒、３９秒、４９秒、５９秒に現れる。このＰコードが続けて現れるのは１フレーム中１回で５９秒、０秒の時だけで、この続けて現れる位置が正分位置となる。つまり分・時データ等の時刻データはこの正分位置を基準としてフレーム中の位置が決まっているためこの正分位置の検出を行わないと時刻データを取り出すことはできない。
【００５６】
スイッチ群１２は、たとえば操作者により操作される操作入力手段の一具体例である。
スイッチ群１２は、たとえば図１に示すように、標準電波強制受信スイッチ１２０１、および放送電波強制受信スイッチ１２０２を有する。
標準電波強制受信スイッチ１２０１は、たとえば、標準時刻電波信号を受信して時刻修正を行わせる際に操作され、その操作に応じて信号Ｓ１２０１を制御回路１４に出力する。制御回路１４は、標準電波強制受信スイッチ１２０１から信号Ｓ１２０１が入力されると、標準電波強制受信モードに設定して、標準電波受信回路１１０８に標準電波を受信させて、受信した標準電波信号に基づいて内部時計１４０１が計時する時刻情報を修正する。
【００５７】
放送電波強制受信スイッチ１２０２は、たとえば、時報信号を含む放送電波を受信して時刻修正を行わせる際に操作され、その操作に応じて信号Ｓ１２０２を制御回路１４に出力する。制御回路１４は、放送電波強制受信スイッチ１２０２から信号Ｓ１２０２が入力されると、放送電波強制受信モードに設定して、同調回路１１０１、周波数変換回路１１０２、局部発振回路１１０３、周波数制御回路１１０４、中間周波増幅回路１１０５、検波回路１１０６、時報検出回路１１０７などにより、時報信号を受信する処理を行い、受信した時報信号に基づいて、内部時計１４０１が計時する時刻情報を修正する。
【００５８】
発振回路１３は、水晶発振器ＣＲＹおよびキャパシタＣ２，Ｃ３により構成され、所定周波数の基本クロックを制御回路１４に供給する。
【００５９】
制御回路１４は、たとえば装置全体を統括的に制御する。
また、制御回路１４は、たとえば図１，２に示すように、内部時計１４０１、およびメモリ１４０２を有する。
内部時計１４０１は、たとえば年情報カウンタ、月情報カウンタ、日情報カウンタ、曜情報カウンタ、時情報を計時する時カウンタ、分情報を計時する分カウンタ、および秒情報を計時する秒カウンタなどを含む。
【００６０】
メモリ１４０２は、たとえば、制御回路１４のワークスペースとして用いられる。たとえば、メモリ１４０２はＲＡＭ（Random access memory）やＲＯＭ（Random access memory）等で構成される。
メモリ１４０２は、本発明に係る機能を有するプログラムを記憶する。制御回路１４はこのプログラムを実行することにより、本発明に係る機能を実現する。
【００６１】
制御回路１４は、放送電波受信部１１００により受信した時刻情報、および標準電波受信回路１１０８により受信した時刻情報のうち一方の時刻情報に関する評価を行う場合に、他方の時刻情報を用いて一方の時刻情報を補完してその評価を行い、当該評価の結果に基づいて内部時計１４０１が計時する時刻情報を修正する。
さらに、制御回路１４は、内部時計１４０１の時刻修正を行った場合に、表示部２０やディスプレイ３０による表示時刻の時刻修正を行う。
【００６２】
ここで時刻情報に関する評価とは、たとえば受信した時刻情報の正当性を評価する処理や、異なる設定時刻に複数の時刻情報を取得した場合には、それら複数の時刻情報の整合性や正当性を判断する処理、また標準時刻と比較して最も整合性や正当性が高い時刻情報を判別する処理などである。
【００６３】
また、制御回路１４は、標準電波受信回路１１０８により受信した時刻情報、および放送電波受信部１１００により受信した時刻情報のうち、予め規定した個数の時刻情報を特定し、特定した時刻情報に基づいて、上述した補完を行う。たとえば他方の時刻情報を用いて一方の時刻情報を補完する。
予め規定した個数の時刻情報を特定して、その複数の時刻情報に基づいて上述した補完を行い、時刻情報の評価を行うことで、時刻情報の信頼性を向上させる。
【００６４】
ところで、本実施形態では上述したように、放送電波受信部１１００が時刻情報として時報信号ｄを受信する。時報信号ｄは、毎正時（００分００秒）に同期して受信されるために、少なくとも秒情報、および分情報を含む。
詳細には、内部時計１４０１により計時される時刻情報が略正確な場合、たとえば内部時計１４０１により計時される時刻情報と標準時刻との誤差が数分程度の場合には、その内部時計１４０１が計時する時刻情報に基づいて、秒情報、分情報の他に、時情報を確定することができる。
また、本実施形態に係る標準電波受信回路１１０８により受信される時刻情報は、上述したように秒情報、分情報、時情報、日情報、うるう秒情報、サマータイム情報を含む。
制御回路１４は、標準電波受信回路１１０８により受信した時刻情報、および放送電波受信部１１００により受信した時刻情報に基づいて、秒情報、分情報、時情報、および日情報を上述したように補完により取得し、取得した情報に基づいて内部時計１４０１が計時する時刻情報の修正を行う。
【００６５】
図９は、図１に示した電波修正時計１の制御回路１４の動作を説明するための図である。図９（ａ），（ｂ）を参照しながら、たとえば予め規定した時刻情報の個数として３個（セット）に設定した場合の制御回路１４の動作を説明する。
【００６６】
たとえば図９（ａ）に示すように、制御回路１４は、標準電波受信回路１１０８により受信した標準電波から１個（セット）の第１の時刻情報を抽出することに成功した場合に、放送電波受信部１１００により受信した放送電波から２個（セット）の第２の時刻情報を抽出し、その第２の時刻情報を基に、第１の時刻情報を補完して評価を行うことにより、時刻情報の信頼性を向上させる。
【００６７】
また、たとえば図１０（ｂ）に示すように、制御回路１４は、放送電波受信部１１００により受信した放送電波から１個（セット）の第２の時刻情報を抽出することに成功した場合に、標準電波受信回路１１０８により受信した標準電波から２個（セット）の第１の時刻情報を抽出し、その第１の時刻情報を基に、第２の時刻情報を補完して評価を行うことにより、時刻情報の信頼性を向上させる。
【００６８】
また、制御回路１４は、異なる設定時刻に標準電波受信回路１１０８により受信した標準電波から第１の個数の第１の時刻情報を抽出した場合に、予め規定した個数から第１の個数を減算した第２の個数の第２の時刻情報（時報信号ｄにより得られる時刻情報に相当する）を放送電波受信部１１００により受信し、当該受信した第２の時刻情報に基づいて、標準電波受信回路１１０８により抽出した第１の時刻情報を補完する。
【００６９】
図１０は、図１に示した電波修正時計１の受信手段の選択に係る動作を説明するための図である。図１０（ａ），（ｂ）を参照しながら、たとえば予め規定した時刻情報の個数として、３個（セット）の場合の制御回路１４の動作を説明する。
【００７０】
詳細には、制御回路１４は、たとえば図１０（ａ）に示すように、異なる設定時刻に標準電波受信回路１１０８により受信した標準電波から第１の個数（２個）の時刻情報を抽出し、１回抽出に失敗した場合に、予め規定した個数（３個）から第１の個数（２個）を減算した第２の個数（１個）の第２の時刻情報を放送電波受信部１１００により受信し、当該受信した第２の時刻情報に基づいて、標準電波受信回路１１０８により抽出した第１の時刻情報を補完する。
【００７１】
また、制御回路１４は、異なる設定時刻に放送電波受信部１１００により受信した放送電波から第１の個数の第２の時刻情報を抽出した場合に、予め規定された個数から第１の個数を減算した第２の個数の第１の時刻情報を標準電波受信回路１１０８により受信し、当該受信した第１の時刻情報に基づいて、標準電波受信回路１１０８により抽出した第２の時刻情報（時報信号ｄにより得られる時刻情報）を補完する。
【００７２】
詳細には、制御回路１４は、たとえば図１０（ｂ）に示すように、異なる設定時刻に放送電波受信部１１００により受信した放送電波から第１の個数（２個）の第２の時刻情報を抽出し、１個の時刻情報の抽出に失敗した場合に、予め規定された個数（３個）から第１の個数（２個）を減算した第２の個数の第１の時刻情報を標準電波受信回路１１０８により受信し、当該受信した第１の時刻情報に基づいて、標準電波受信回路１１０８により抽出した第２の時刻情報を補完する。
【００７３】
また、制御回路１４は、上述した評価の結果に基づいて、たとえば次の設定時刻に取得する時刻情報を選択し、詳細には異なる種類の受信手段のうち一つ、具体的には標準電波受信回路１１０８または放送電波受信部１１００を選択し、設定時刻に、その選択した標準電波受信回路１１０８または放送電波受信部１１００により受信した第１または第２の時刻情報に基づいて、上述した補完を行う。
【００７４】
具体的には、制御回路１４は、図９（ａ）に示すように、上述した評価の結果、異なる設定時刻に、標準電波受信回路１１０８により受信した標準電波から設定個数の第１の時刻情報を抽出できないと判別した場合に、放送電波受信部１１００により受信した放送電波に含まれる第２の時刻情報に基づいて第１の時刻情報を補完する。
【００７５】
また、具体的には、制御回路１４は、図９（ｂ）に示すように、上述した評価の結果、異なる設定時刻に、放送電波受信部１１００により受信した放送電波から設定個数の第２の時刻情報を抽出できないと判別した場合に、標準電波受信回路１１０８により受信した標準電波に含まれる第１の時刻情報に基づいて第２の時刻情報を補完する。
【００７６】
次に、制御回路１４による時報信号ｄに関する処理を説明する。
制御回路１４は、たとえば、放送電波に時報信号ｄが含まれる規定時間内に、放送電波受信手段の一具体例に相当する同調回路１１０１や周波数変換回路１１０２の受信周波数を予め規定された受信周波数範囲内で制御し、時報検出回路１１０７が時報信号ｄを特定したと判別した場合に、時報信号ｄを含む放送電波の受信周波数情報をメモリ１４０２に記憶し、メモリ１４０２が記憶する受信周波数情報に対応する受信周波数で受信する放送電波に含まれる時報信号ｄに基づいて、内部時計１４０１が計時する時刻情報を修正する。
【００７７】
図１１は、図１に示した電波修正時計１による受信周波数範囲を説明するための図である。
本実施形態に係る電波修正時計１がＡＭラジオ放送を受信する場合に、制御回路１４は、予め規定された受信周波数範囲として、たとえば図１１に示すように、５３５ｋＨｚから１６２０ｋＨｚまでの受信範囲に規定する。
【００７８】
ところで、１局の放送局をスキャンするのに必要な時間は、たとえば周波数スキャンにより次の受信周波数に設定するための時間と、設定された受信周波数で受信した放送電波に時報信号ｄが含まれているか否かを判断するための時間との和により規定される。
【００７９】
制御回路１４は、毎正時から時報信号が含まれる規定時間Ｔｄの間に、スキャンすることができる周波数範囲を、上述した１局の放送局をスキャンするのに必要な時間に応じて規定する。
【００８０】
たとえば、毎正時から時報信号が含まれる規定時間Ｔｄの間に、規定された周波数間隔で周波数スキャンする際に、１局の放送局をスキャンするのに必要な時間が比較的小さい場合つまりスキャンスピードが比較的速い場合には、図１２に示すように５３５ｋＨｚから１６２０ｋＨｚまで一度にスキャンすることができる。
規定時間Ｔｄとしては、たとえば８８０Ｈｚという信号を特定するのにサンプリングレートを早くすると８８０Ｈｚの信号を複数個認識するのに必要な時間が最速となる（複数波を要する場合もある）。
【００８１】
一方、１局の放送局をスキャンするのに必要な時間が比較的大きい場合つまりスキャンスピードが比較的遅い場合には、図１１に示すように５３５ｋＨｚから１６２０ｋＨｚまで一度にスキャンすることができない。制御回路１４は、その場合には全受信周波数範囲ＴＲ１を複数の範囲に分割し、分割したそれぞれの受信周波数範囲毎にスキャンを行う。
詳細には、制御回路１４は、毎正時から時報信号が含まれる規定時間Ｔｄの間に、スキャンすることができる周波数範囲で、全受信周波数範囲ＴＲ１を分割する。本実施形態では図１２に示すように、全受信周波数範囲ＴＲ１を複数個（たとえば８個）の受信周波数範囲Ｒ１〜Ｒ８に分割する。
【００８２】
詳細には、たとえば規定された１０ｍｓ単位で１ｋＨｚ刻みでスキャンを行う際に、受信周波数範囲が１２８ｋＨｚの場合に、１回スキャンを行うのに必要な時間は１．２８秒であり、２回スキャンを行うのに必要な時間はトータル２．５６秒となる。
【００８３】
たとえば、一具体例としての制御回路１４が、１局を周波数スキャンするのに必要な時間は９０ｍｓ程度であり、また、一般的にＡＭ放送電波の放送周波数帯域は約９ｋＨｚと規定されているので、その間、放送電波の搬送波の中間周波数を含む帯域幅をすべてサンプリングできれば、８８０Ｈｚの時報信号ｄを最大約７９波サンプリングすることができる。
制御回路１４は、このスキャンを２回繰り返すと、トータル約１５８波をスキャンすることができる。
【００８４】
また、通常、中間周波数から離れるにしたがって、受信レベルが低下するために、中間周波数をセンターとする山型の分布が検出されるため、１ｋＨｚ毎にレベルを比較すると、中間周波数付近がもっとも検出レベルが高くなるために、中間周波数を略特定することができる。
【００８５】
図１２は、図１に示した電波修正時計１の制御回路１４による時報信号ｄを特定する動作を説明するための図である。
制御回路１４は、放送電波に時報信号ｄが含まれる規定時間内に、同調回路１１０１や周波数変換回路１１０２の受信周波数を予め規定された受信周波数範囲内で制御し、時報検出回路１１０７が抽出した信号のレベルＶが閾値Ｖｔｈ以上であると判別した場合に受信周波数情報をメモリ１４０２に記憶し、設定時刻に、メモリ１４０２が記憶する受信周波数情報に対応する受信周波数で同調回路１１０１や周波数変換回路１１０２が受信する時報信号ｄに基づいて、内部時計１４０１が計時する時刻情報を修正する。
【００８６】
詳細には制御回路１４は、たとえば図１２に示すように、時報検出回路１１０７が抽出した信号のレベルＶ１，Ｖ２が閾値Ｖｔｈ以上である場合に、その信号を時報信号ｄであると特定し、信号レベルＶ３が閾値Ｖｔｈより小さい場合にその信号は時報信号ｄでないと判別する。
【００８７】
時報信号ｄを特定する処理としては、上述した形態に限られるものではない。たとえば、信号レベルのピーク値と、通常時の信号レベルＶ０との比が、予め規定した値よりも大きい場合にそのピークを時報信号ｄと特定してもよい。
【００８８】
また、制御回路１４は、複数の異なる設定時刻に、同調回路１１０１や周波数変換回路１１０２を同一の受信周波数に設定した状態で、時報検出回路１１０７が閾値以上のレベルの信号を設定回抽出した場合に、受信周波数に対応する放送電波に含まれる時報信号を特定し、当該時報信号に基づいて内部時計１４０１が計時する時刻情報を修正する。
【００８９】
また、制御回路１４は、規定時間内に、同調回路１１０１や周波数変換回路１１０２の受信周波数を第１の受信周波数範囲内で制御し、時報検出回路１１０７が抽出した信号のレベルが閾値より小さいと判別した場合に、同調回路１１０１や周波数変換回路１１０２の受信周波数を、第１の受信周波数範囲と異なる第２の受信周波数範囲内で制御して、放送電波に含まれる時報信号を特定する処理を行う。
たとえば図１２に示す受信周波数範囲Ｒ１にてサーチを行った結果、時報信号ｄを特定することができない場合に、その他の受信周波数範囲たとえば受信周波数範囲Ｒ２〜Ｒ８のいずれかの範囲内で、時報信号ｄを特定する処理を行う。
【００９０】
また、制御回路１４は、複数の異なる受信周波数にて放送電波に含まれる時報信号を特定した場合に、時報信号のレベルに基づいて、複数の異なる受信周波数に対応する前記放送電波に含まれる時報信号の受信順位を設定する。
制御回路１４は、たとえば、図１２に示すように、複数の異なる受信周波数にて放送電波に含まれる時報信号Ｖ１，Ｖ２を特定した場合には、時報信号のレベルの大きい順に、受信順位を設定する。
【００９１】
また、制御回路１４は、異なる設定時刻に、放送電波受信手段を同一の受信周波数に設定した状態で、時報検出回路１１０７が閾値以上のレベルの時報信号を設定回数抽出できない場合に、メモリ１４０２に記憶されている受信周波数情報を破棄して、新たに時報信号を含む放送電波の受信周波数を特定する処理を行う。
詳細には、たとえば１回目のスキャン時に、時報検出回路１１０７にてノイズの影響により信号レベルが閾値以上となった場合であっても、２回目以降、閾値以上の信号レベルを抽出できない場合には、その１回目の信号がノイズの影響による誤検出であると判別して、その受信周波数情報を破棄し、新たに時報信号ｄを特定する処理を行う。
【００９２】
また、制御回路１４は、自動利得制御手段に相当する中間周波増幅回路１１０５による増幅の度合いを示す信号Ｓａｇｃに基づいて、同調回路１１０１や周波数変換回路１１０２により受信可能な時報信号を含む放送電波を特定し、設定時刻に、特定した放送電波に対応する受信周波数に設定して、同調回路１１０１や周波数変換回路１１０２により受信した放送電波に含まれる時報信号を受信する。
詳細には、予めＡＧＣ機能による信号Ｓａｇｃに基づいて放送電波を特定して、特定した放送電波に相当する受信周波数情報をメモリ１４０２に記憶し、設定時刻になると、メモリ１４０２に記憶する受信周波数情報に対応する受信周波数に同調回路１１０１や周波数変換回路１１０２を設定して、放送電波に含まれる時報信号を受信する。
【００９３】
また、制御回路１４は、初期時に標準電波受信回路１１０８により受信した標準時刻電波信号に基づいて内部時計１４０１による時刻情報を修正し、通常時に同調回路１１０１や周波数変換回路１１０２，…，時報検出回路１１０７により受信した時報信号に基づいて内部時計１４０１の時刻情報を修正する。
詳細には、制御回路１４は、初期時に標準電波（長波）受信回路１１０８が受信した標準時刻電波信号に基づいて、内部時計１４０１が計時する時間情報である年情報、月情報、日情報、曜日情報、時情報、分情報、および秒情報を修正し、内部時計１４０１が計時する時刻情報を基に、後述するように表示時刻の修正を行う。
【００９４】
また、制御回路１４は、標準電波強制受信モード時に、標準電波受信回路１１０８により受信した標準時刻電波信号から標準時刻信号を有効に抽出できた場合に、当該標準時刻信号に基づいて内部時計１４０１の時刻情報を修正し、標準電波受信回路１１０８により受信した標準時刻電波信号から標準時刻信号を有効に抽出できない場合に、同調回路１１０１や周波数変換回路１１０２，…，時報検出回路１１０７により受信した時報信号に基づいて内部時計１４０１が計時する時刻情報を修正する。
【００９５】
また、制御回路１４は、時刻修正時には、内部時計１４０１による時刻情報を基に表示部２０やディスプレイ３０表示時刻を修正する。
【００９６】
制御回路１４は、ＡＭラジオ放送電波を受信する際に、受信タイミング制御を行う。
詳細には、制御回路１４は、受信タイミング制御として、たとえば内部時計１４０１が計時する時刻情報を基に毎正時を含む所定時間、たとえば毎正時の数１０秒前からＡＭラジオ放送電波を受信させる。
一般的に、水晶発振子による発振信号による内部時計１４０１の精度は、月差数１０秒の精度なので、上述したようにラジオ放送電波の受信を開始すれば確実に時報信号を受信することができる。
【００９７】
以下、たとえば表示部２０として、駆動モータ１２１，１３１と、駆動モータにより駆動される、複数の歯車や指針が取り付けられる指針車などにより構成される輪列とにより構成される、いわゆるアナログ式時計を採用した場合の制御回路１４の機能を簡単に説明する。
【００９８】
たとえば時分車や秒針車などの指針車には透光部と遮光部とが形成されている。また、発光素子１４２と、光検出センサ部１４０との間に、指針車が位置するように配置されている。
制御回路１４は、発光素子１４２から出力された光が、時分針車に設けられた遮光部および透光部により、受光素子１４４に受光される、光のオンオフパターンに基づいて、表示時刻の修正を行う。
【００９９】
また、制御回路１４は、所定の時間、たとえば本実施形態では８秒間の標準時刻電波信号のサンプリング（例えば３２Ｈｚ）を行い、そのサンプリングの結果に基づいて受信状態を判定する。
【０１００】
詳細には、制御回路１４は、たとえば電波受信系１１から入力される信号Ｓ１１０８のサンプリング（例えば３２Ｈｚ）を行い、エッジｅｄを検出し、そのエッジｅｄの有無や数に基づいて受信状態を判定する。
【０１０１】
制御回路１４は、その設定された受信周波数で受信された標準電波時刻信号に基づいて、時刻化が可能である場合には、発振回路１３による基本クロックに基づいて内部時計１４０１の各種カウンタのカウント制御を行う。
【０１０２】
制御回路１４は、受信状態が基準範囲にない場合には、制御信号ＣＴＬ１を出力せずに、ドライブ信号ＤＲ１をドライブ回路１５に出力して、報知手段としての発光素子１６を発光させてユーザに標準電波信号がほとんど受信できない旨を報知させる。
【０１０３】
制御回路１４は、電波受信系１１で受信した標準時刻電波信号に基づいて、内部時計１４０１の各種時刻カウンタで計時されている計時時刻と標準時刻情報とを比較し、誤差が生じている場合には、その誤差に応じて時刻カウンタを修正し、その修正に応じてモータ１３１に制御信号ＣＴＬ２として、修正のためのパルス信号Ｐを入力して早送り駆動等を行い、指針による時刻表示の修正を行う。
【０１０４】
ドライブ回路１８のトランジスタＱ２のエミッタは電源電圧Ｖccの供給ラインに接続され、ベースは抵抗素子Ｒ３を介してドライブ信号ＤＲ２の出力ラインに接続されている。
すなわち、発光素子１４２は、制御回路１４からローレベルのドライブ信号ＤＲ２が出力されたとき発光するようにドライブ回路１８に接続されている。
【０１０５】
初期時刻情報入力部２１は、たとえばキーボードや操作スイッチなどの操作入力装置などにより構成され、初期時に内部時計１４０１が計時する時刻情報を入力する。
【０１０６】
電源制御回路２２は、たとえば内部電池２３や外部電池２４により供給される電源電圧を所定の電圧に変換して、電波修正時計１の各構成要素に供給する。
また、電源制御回路２２は、外部電池２４が電波修正時計１に装着されて電力供給を行っていることを示す信号または外部電池２４が装着されていない状態を示す信号を制御回路１４に出力する。
【０１０７】
内部電池２３は、電波修正時計１に常時制御回路１４やメモリ１４０２などの構成要素に電力供給を行う。
外部電池２４は、たとえば出荷時には電波修正時計１の電池ケース１４１に装着されておらず、商品購入時にユーザにより電波修正時計１の電池ケース１４１に装着され、制御回路１４やメモリ１４０２などの構成要素に電力供給を行う。
【０１０８】
光検出センサ部１４０は、たとえば発光ダイオードからなる発光素子１４２と、フォトトランジスタからなる受光素子１４４とにより形成されている。
そして、発光素子１４２のアノードは一端がｐｎｐトランジスタＱ２のコレクタに接続されたドライブ回路１８における抵抗素子Ｒ４の他端に接続され、カソードは、接地されると共に、受光素子１４４のエミッタに接続されている。
受光素子１４４のコレクタは、制御回路１４に接続されている。この制御回路１４との接続ラインは、検出信号ＤＴ１の制御回路１４への出力ラインとなっている。
【０１０９】
図１３は、図１に示した電波修正時計の全体の動作を説明するためのフローチャートである。図１３を参照しながら、電波修正時計１の全体の動作を、制御回路１４の動作を中心に説明する。
【０１１０】
ステップＳＴ１において、初期設定処理やリセット処理を行う。
詳細には、たとえば制御回路１４は、初期時に各構成要素、たとえばメモリ１４０２内の変数値などを初期状態に設定する。
また、制御回路１４は、初期時刻情報入力部２１により入力された初期時刻情報を示す信号Ｓ２１に基づいて、内部時計１４０１が計時する時刻情報を設定する。
【０１１１】
ステップＳＴ２において、制御回路１４は、受信手段を選択する。
たとえば制御回路１４は、内部時計１４０１が計時する時刻情報や標準電波受信回路１１０８の受信状態に基づいて、放送電波受信部１１００または標準電波受信回路１１０８を選択する。
この際、制御回路１４は、たとえばスイッチ群１２の標準電波強制受信スイッチ１２０１や放送電波強制受信スイッチ１２０２から、それらのスイッチが操作されたことを示す信号Ｓ１２０１，Ｓ１２０２が入力した場合には、その信号Ｓ１２０１，１２０２に基づいて受信手段を選択してもよい。
【０１１２】
ステップＳＴ３において、制御回路１４は、ステップＳＴ２による選択の結果に基づいて、標準電波受信回路１１０８を選択した場合にステップＳＴ４の処理に進み、放送電波受信部１１００を選択した場合に、ステップＳＴ９の処理に進む。
【０１１３】
ステップＳＴ４において、制御回路１４は、上述した標準電波受信（強制受信）を行う。
詳細には、制御回路１４は、標準電波受信回路１１０８を受信オン状態に設定し、標準電波を受信させる。標準電波受信回路１１０８は、アンテナＡＮＴ２を介して標準電波を受信し、上述した復調処理などの所定処理を行い信号Ｓ１１０８として制御回路１４に出力する。
【０１１４】
ステップＳＴ５において、制御回路１４は、時刻情報の受信に成功したか否かを判別する。詳細には制御回路１４は、標準電波を受信し、その標準電波から有効に時刻情報を抽出できるか否かを判別する。受信に成功して有効に時刻情報を抽出できたと判別した場合にステップＳＴ７の処理に進み、受信に成功していないと判別した場合にステップＳＴ６の処理に進む。
【０１１５】
ステップＳＴ６において、制御回路１４は、標準電波から時刻情報を抽出できないと判別した場合に、たとえば図９，図１０に示すように、その旨を示すＮＧ（失敗）フラグを設定し、ステップＳＴ１４の処理に進む。
【０１１６】
ステップＳＴ７において、制御回路１４は、たとえば標準電波から時刻情報を抽出できたと判別した場合に、たとえば図９、図１０に示すように、その旨を示す成功（ＯＫ）フラグを設定し、ステップＳＴ８の処理に進む。
【０１１７】
ステップＳＴ８において、制御回路１４は、標準電波から抽出した時刻情報をメモリ１４０２に記憶（保持）して、ステップＳＴ１４の処理に進む。
【０１１８】
ステップＳＴ９において、制御回路１４は、ステップＳＴ３における判別で放送電波受信部１１００を選択した場合に、設定時刻、たとえば内部時計が計時する時刻情報に基づいて正時（００分００秒）の設定時間前、具体的にはその数秒から数分程度前になると、上述したように放送電波受信部１１００により放送電波を受信して、時報検出回路１１０７により時刻信号に相当する時報信号ｄを抽出する処理を行う。
【０１１９】
ステップＳＴ１０において、制御回路１４は、ステップＳＴ９による放送電波受信部１１００により受信した放送電波から時報情報を抽出したと判断した場合に、ステップＳＴ１２の処理に進み、抽出できないと判別した場合に、ステップＳＴ１１の処理に進む。
【０１２０】
ステップＳＴ１１において、制御回路１４は、放送電波から時刻情報を抽出できないと判別した場合に、たとえば図９，図１０に示すように、その旨を示すＮＧ（失敗）フラグを設定し、ステップＳＴ１４の処理に進む。
【０１２１】
ステップＳＴ１２において、制御回路１４は、たとえば放送電波から時刻情報を抽出できたと判別した場合に、たとえば図９，図１０に示すように、その旨を示す成功（ＯＫ）フラグを設定し、ステップＳＴ１３の処理に進む。
【０１２２】
ステップＳＴ１３において、制御回路１４は、放送電波から抽出した時刻情報をメモリ１４０２に記憶（保持）して、ステップＳＴ１４の処理に進む。
詳細には、たとえば放送電波から時報信号ｄ（正時（００分００秒）を示す信号）を抽出した場合には、内部時計１４０１が計時する時刻情報を基に、たとえばそれらの情報の誤差を示す時刻情報を、メモリ１４０２に記憶（保持）する。
【０１２３】
ステップＳＴ１４において、制御回路１４は、補完処理を行う。
詳細には、制御回路１４は、標準電波受信回路１１０８により受信した第１の時刻情報、および放送電波受信部１１００により受信した第２の時刻情報のうち一方の時刻情報に関する評価を行う場合に、他方の時刻情報を用いて、その一方の時刻情報を補完する。
【０１２４】
より詳細には、たとえば図９（ａ）に示すように、制御回路１４は、第１回目の受信時に標準電波受信回路１１０８により受信した標準電波から時刻情報の抽出に成功し、第２回目の受信時に放送電波受信部１１００により受信した時刻情報の抽出に成功した場合には、たとえば、標準電波から抽出した時刻情報に含まれる秒情報、分情報、時情報、日情報、うるう秒情報、サマータイム情報を取得し、その取得した情報に、放送電波から抽出した時刻情報に含まれる秒情報、分情報を用いて補完処理を行う。
たとえば標準電波から抽出した秒情報や分情報に関して、エラーやノイズ等により信頼性が低下している場合であっても、上述したように、標準電波から抽出した秒情報と分情報に関して、放送電波から抽出した秒情報と分情報を用いて補完することで、秒情報と分情報に関して信頼性が向上する。
【０１２５】
ステップＳＴ１５において、制御回路１４は、評価処理を行う。
詳細には、たとえば制御回路１４は、上述したように放送電波から特定した第２の時刻情報を用いて、標準電波から特定した第１の時刻情報を補完した時刻情報に関して、評価を行う。ここで評価とは、たとえば受信した時刻情報の正当性を評価する処理や、異なる設定時刻に複数の時刻情報を取得した場合には、それら複数の時刻情報の整合性や正当性を判断する処理、また標準時刻と比較して最も整合性や正当性が高い時刻情報を判別する処理などである。
【０１２６】
ステップＳＴ１６において、制御回路１４は、予め規定した個数の時刻情報を取得したか否かを判別し、判別の結果、予め規定した個数の時刻情報を取得したと判別した場合にステップＳＴ１７の処理に進み、予め規定した個数の時刻情報を取得していないと判別した場合に、ステップＳＴ１９の処理に進む。
たとえば、本実施形態では図９，図１０に示すように、３個の時刻情報を標準電波や放送電波から抽出できたか否かを判別する。
【０１２７】
ステップＳＴ１７において、制御回路１４は、たとえば図９（ａ），（ｂ），図１０（ａ），（ｂ）に示すように、予め規定した個数の時刻情報を取得した場合に、その規定した個数の時刻情報に基づいて、内部時計１４０１が計時する時刻情報を修正する際に用いる時刻情報を決定する。
たとえば、制御回路１４は、上記補完により得られた時刻情報を、内部時計１４０１が計時する時刻情報を修正する際に用いる時刻情報とする。
【０１２８】
ステップＳＴ１８において，制御回路１４は、ステップＳＴ１７により決定した時刻情報に基づいて、内部時計１４０１が計時する時刻情報を修正する。
【０１２９】
ステップＳＴ１９において、制御回路１４は、ステップＳＴ１６の判別により、予め規定した個数の時刻情報を取得していないと判別した場合に、設定回数以上受信に失敗したか否か、詳細には時刻情報の抽出に失敗したか否かを判別し、設定回数以上受信に失敗したと判別した場合に、たとえば受信に失敗した標準電波受信回路１１０８や放送電波受信部１１００による時刻情報の受信処理を終了し、設定回数以上受信に失敗していないと判別した場合に、ステップＳＴ２０の処理に進む。
【０１３０】
ステップＳＴ２０において、制御回路１４は、評価の結果に基づいて標準電波受信回路１１０８または放送電波受信部１１００を選択し、ステップＳＴ３の処理に戻り、上述したように設定時刻に、選択した標準電波受信回路１１０８または放送電波受信部１１００により受信した第１の時刻情報または第２の時刻情報に基づいて補完を行い、その補完結果に基づいて、時刻情報に関する評価を行い、評価の結果に基づいて時刻修正を行う。
【０１３１】
具体的には、制御回路１４は、評価の結果、異なる設定時刻に、標準電波受信回路１１０８により受信した標準電波から設定個数の第１の時刻情報を抽出できないと判別した場合に、標準電波受信回路１１０８を選択して、標準電波受信回路１１０８により受信した放送電波に含まれる第２の時刻情報に基づいて第１の時刻情報を補完する。
また、制御回路１４は、評価の結果、異なる設定時刻に、放送電波受信部１１００により受信した放送電波から設定個数の第２の時刻情報を抽出できないと判別した場合に、標準電波受信回路１１０８により受信した標準電波に含まれる第１の時刻情報に基づいて第２の時刻情報を補完する。
【０１３２】
以上、説明したように、内部時計１４０１と、第１の時刻情報を含む標準電波を受信する標準電波受信回路１１０８と、第２の時刻情報を含む放送電波を受信する放送電波受信部１１００と、標準電波受信回路１１０８および放送電波受信部１１００により受信した第１の時刻情報および第２の時刻情報のうち一方の時刻情報に関する評価を行う場合に、他方の時刻情報を用いて一方の時刻情報を補完して評価を行い、当該評価の結果に基づいて内部時計１４０１が計時する時刻情報を修正する制御回路１４とを設けたので、時刻情報を取得して時刻修正を行う際に受信状態が良好でない場合であっても、取得した時刻情報を無駄にすることなく、高い信頼性で短時間に時刻修正を行うことができる。
【０１３３】
また、標準電波受信回路１１０８や放送電波受信部１１００により受信した第１および第２の時刻情報のうち、予め規定した個数の第１および第２の時刻情報を特定し、特定した時刻情報に基づいて補完を行うので、より信頼性が向上する。
【０１３４】
また、制御回路１４は、異なる設定時刻に標準電波受信回路１１０８により受信した標準電波から第１の個数の第１の時刻情報を抽出した場合に、予め規定した個数から第１の個数を減算した第２の個数の第２の時刻情報を放送電波受信部１１００により受信し、当該受信した第２の時刻情報に基づいて抽出した第１の時刻情報を補完するので、所定の信頼性を確実に得ることができる。
【０１３５】
また、逆に、制御回路１４は、異なる設定時刻に放送電波受信部１１００により受信した放送電波から第１の個数の第２の時刻情報を抽出した場合に、予め規定された個数から第１の個数を減算した第２の個数の第１の時刻情報を標準電波受信回路１１０８により受信し、当該受信した第１の時刻情報に基づいて抽出した第２の時刻情報を補完するので、所定の信頼性を確実に得ることができる。
【０１３６】
また、制御回路１４は、評価の結果に基づいて標準電波受信回路１１０８または放送電波受信部１１００を選択するので、たとえば受信状態のより良好な受信手段を選択して、選択した受信手段により得られた時刻情報を用いて上述した補完処理を行うことにより、より信頼性の高い時刻情報を取得することができる。
【０１３７】
図１４は、図１に示した電波修正時計１の他の実施形態を説明するためのフローチャートである。
本実施形態に係る制御回路１４は、複数の異なる設定時刻に、標準電波受信回路１１０８により受信した第１の時刻情報、および放送電波受信部１１００により受信した第２の時刻情報に基づいた補完および評価の結果に基づいて、内部時計１４０１が計時する時刻情報に関する誤差情報を生成し、当該生成した誤差情報に基づいて内部時計１４０１が計時する時刻情報を修正する。
図１４を参照しながら、本実施形態に係る電波修正時計１の具体的な動作を、図１３に示した動作との相違点を中心に説明する。
【０１３８】
ステップＳＴ１〜ステップＳＴ１７に示した動作に関しては、図１３に示した動作と同じ動作なので説明を省略する。
ステップＳＴ１７１において、制御回路１４は、図９，図１０に示すように、複数の異なる設定時刻に、標準電波受信回路１１０８により受信した第１の時刻情報、および放送電波受信部１１００により受信した第２の時刻情報に基づいた補完および評価の結果に基づいて、内部時計１４０１が計時する時刻情報に関する誤差情報を生成する。
この誤差情報は、たとえばステップＳＴ１７により時刻決定した度に生成され、メモリ１４０２に蓄積（記憶）される。
この誤差情報を蓄積することにより、内部時計１４０１が計時する時刻情報と、標準電波受信回路１１０８や放送電波受信部１１００により得られた時刻情報を基に上述した補完および評価に基づいて生成した時刻情報との誤差の変化のパターンを取得することができる。
【０１３９】
ステップＳＴ１７２において、制御回路１４は、所定回数以上誤差情報を生成したか否かを判断し、所定回数以上生成していないと判別した場合に、ステップＳＴ１８１の処理に進み、所定回数以上生成していると判別した場合に、ステップＳＴ１８２の処理に進む。
【０１４０】
ステップＳＴ１８１において、制御回路１４は、所定回数以上誤差情報を生成していないと判別した場合に、ステップＳＴ１７により決定した時刻情報に基づいて、内部時計１４０１が計時する時刻情報を修正し、図１３に示すステップＳＴ３の処理に戻る。
【０１４１】
ステップＳＴ１８２において、制御回路１４は、ステップＳＴ１７１により生成した誤差情報に基づいて、内部時計１４０１が計時する時刻情報を修正し、図１３に示すステップＳＴ３の処理に戻る。
詳細には、制御回路１４は、蓄積した誤差情報による誤差の変化のパターンに基づいて、内部時計１４０１が計時する時刻情報と標準時刻との誤差が小さくなるように好ましくはゼロとなるように、内部時計１４０１が計時する時刻情報を修正する。
【０１４２】
一方、ステップＳＴ１９ａにおいて、制御回路１４は、ステップＳＴ１６により予め規定した個数の時刻情報を取得していないと判別した場合に、設定回数以上受信に失敗したか否か、詳細には時刻情報の抽出に失敗したか否かを判別し、設定回数以上受信に失敗したと判別した場合に、ステップＳＴ１９１の処理に進み、設定回数以上受信に失敗していないと判別した場合に、ステップＳＴ２０の処理に進む。
【０１４３】
ステップＳＴ１９１において、制御回路１４は、たとえばステップＳＴ１８２における処理と同様に、ステップＳＴ１７１により生成した誤差情報に基づいて、内部時計１４０１が計時する時刻情報を修正し、図１３に示すステップＳＴ３の処理に戻る。
【０１４４】
以上、説明したように、本実施形態に係る制御回路１４は、複数の異なる設定時刻に、標準電波受信回路１１０８により受信した第１の時刻情報、および放送電波受信部１１００により受信した第２の時刻情報に基づいた補完および評価の結果に基づいて、内部時計１４０１が計時する時刻情報に関する誤差情報を生成し、当該生成した誤差情報に基づいて内部時計１４０１が計時する時刻情報を修正するので、たとえば受信環境が良好でない状態に変化した場合に、予め規定された個数以上の時刻情報を取得できない場合であっても、誤差情報に基づいて、内部時計１４０１が計時する時刻情報を修正することができる。
【０１４５】
図１５は、図１に示した電波修正時計１のＡＭ放送電波受信モード時の動作の一具体例を説明するためのフローチャートである。図１５を参照しながら、ＡＭ放送電波受信モード時の動作を、制御回路１４の動作を中心に説明する。
【０１４６】
本実施形態では、たとえば図１１に示すように、全受信周波数範囲ＴＲ１の内、制御回路１４や周波数変換回路１１０２などの性能に起因するスキャンスピードに応じて、複数の受信周波数範囲Ｒ１〜Ｒ８を規定する。
【０１４７】
ステップＳＴ１２１において、制御回路１４は、設定時刻、たとえば夜間２１時５０分から５時１０分の予め規定された時刻であるか否かを判別し、判別の結果、設定時間であると判別した場合に、ステップＳＴ１３１の処理に進み、それ外の場合にはステップＳＴ１２２の処理に進む。
【０１４８】
ステップＳＴ１２２において、制御回路１４は、全受信周波数範囲ＴＲ１の内の受信周波数範囲Ｒ１〜Ｒ８のいずれかの受信範囲内をスキャンする（１／８エリアスキャンともいう）。この際、まだスキャンしていない受信周波数範囲エリアについてスキャンを行う。
たとえば、受信していない受信周波数範囲に対して、低い周波数からスキャンを開始する。
【０１４９】
詳細には、ステップＳＴ１２３において、制御回路１４は、１／８エリアスキャンを行う際に、まず受信時刻（タイミング）を設定する。
たとえば、外部電池２４未装着時に内部電池２３から供給される電源電圧により内部時計１４０１が計時し、たとえば１年間全く標準電波信号やＡＭ放送電波などを受信せずに時刻修正を行わずに放置された場合、最大４分間程度の誤差が発生する場合があるので、直近の受信時刻から現在までの経過時間により誤差が発生しても標準時の正時信号を受信できるように、受信時刻（タイミング）を制御する。
【０１５０】
この際、制御回路１４は、内部時計１４０１が時刻情報を保持していない場合、あるいは誤差が所定時間たとえば４分以上の誤差が想定される場合には、標準電波を受信して、または手動により表示時刻を４分以内の誤差に修正して運針しながら次の正時を待つ。
【０１５１】
ステップＳＴ１２４において、制御回路１４は、毎正時前のステップＳＴ１２３により規定された受信開始時刻において、ＡＭ放送電波の受信を開始する。
【０１５２】
ステップＳＴ１２５において、制御回路１４は、同調回路１１０１や周波数変換回路１１０２、…、時報検出回路１１０７により受信したＡＭ放送電波に基づいて、受信候補局があるか否かを判別し、判別の結果、候補局があると判別した場合に、ステップＳＴ１２６の処理に進み、受信候補局がないと判別した場合にステップＳＴ１２１の処理に戻り、スキャンしていない次の受信周波数範囲にて、新たに時報信号ｄを特定する処理を行う。
【０１５３】
詳細には、制御回路１４は、放送電波に時報信号が含まれる規定時間内に、同調回路１１０１や周波数変換回路１１０２の受信周波数を、受信周波数範囲Ｒ１〜Ｒ８のいずれか一の受信周波数範囲内で制御し、図１２に示すように、時報検出回路１１０７が抽出した信号のレベルが閾値以上であるか否かに基づいて時報信号ｄを特定したか否かを判断する。
【０１５４】
ステップＳＴ１２６において、制御回路１４は、受信候補局に対応する受信周波数を示す受信周波数情報を、メモリ１４０２に記憶する。
詳細には、制御回路１４は、時報検出回路１１０７が抽出した信号のレベルが閾値以上であると判別した場合に、その周波数変換回路１１０２による受信周波数情報をメモリ１４０２に記憶する。
【０１５５】
ステップＳＴ１２７において、制御回路１４は、発光手段である発光ダイオード（ＬＥＤ）１６を規定された時間間隔、たとえば１０秒毎に点滅させることで、受信候補局がある旨を報知する。
【０１５６】
ステップＳＴ１２８において、本実施形態に係る制御回路１４は、たとえばノイズによる影響を低減するために、設定時刻、たとえば次の正時の所定時間前たとえば３分前から３分後までの間に、メモリ１４０２に記憶されている受信周波数情報に対応する受信周波数を周波数変換回路１１０２に設定して、再度時報信号ｄが受信できるか否かを判別し、再度受信できた場合に、ノイズによるピークではなく、受信候補の放送局に対応する周波数の放送電波に、時報信号が含まれていると判断してステップＳＴ１２９の処理に進み、再度受信できないと判別した場合に、１回目の受信ピークはノイズであると判別してステップＳＴ１２１の処理に戻る。
【０１５７】
ステップＳＴ１２９において、制御回路１４は、その受信周波数にて受信する時報信号に基づいて、内部時計１４０１が計時する時刻情報を修正する。詳細には、制御回路１４は、内部時計１４０１が計時する時刻情報に基づいて、時報信号ｄを受信した時刻と、内部時計１４０１が計時する時刻情報の正時（００分００秒）との差が小さくなるように、好ましくはゼロとなるように時刻情報の修正を行う。
【０１５８】
ステップＳＴ１３０において、制御回路１４は、内部時計が計時する時刻情報に基づいて、その時刻情報と表示時刻が一致するように表示部２０やディスプレイ３０による表示時刻を修正する処理を行う。
【０１５９】
一方、ステップＳＴ１３１において、設定時刻、たとえば夜間２１時５０分から５時１０分の予め規定された時刻であると判別した場合に、制御回路１４は、発光手段である発光ダイオード（ＬＥＤ）１６を規定された時間間隔、たとえば４秒毎に点滅させることで、受信候補の放送局に対応する周波数の放送電波に時報信号が含まれており、正常に表示時刻および表示時刻を修正した旨を示す報知を行う。
【０１６０】
ステップＳＴ１３２において、制御回路１４は、夜間時全受信周波数範囲ＴＲ１内の複数受信周波数範囲Ｒ１〜Ｒ８それぞれをスキャンする場合に、各受信周波数範囲毎に所定個数の受信候補放送局、たとえば２局を特定する。詳細には、この選択の際に、たとえば受信した時報信号のレベルの大きさ順に受信候補局に対応する受信周波数を特定する。
【０１６１】
ステップＳＴ１３３において、制御回路１４は、８エリアそれぞれに２局ずつ合計１６局それぞれに対応する時報信号のレベルに基づいて、たとえばレベルの大きい順に、受信候補の放送局それぞれに対応する周波数の優先順位を設定する。
この優先順位は、たとえば、自動受信を行う際の受信周波数を設定する場合に用いられる。
【０１６２】
ステップＳＴ１３４において、制御回路１４は、一連の強制受信モードを終了して、通常時の自動受信モードに移行して、次の自動受信時刻まで待機する。
【０１６３】
図１６は、図１に示した電波修正時計１の自動受信モード時の動作の一具体例を説明するためのフローチャートである。図１６を参照しながら、電波修正時計１の自動受信モード時、詳細には設定時刻での時刻修正に関する動作を、制御回路１４の動作を中心に説明するためのフローチャートである。
【０１６４】
ステップＳＴ１４１において、制御回路１４は、自動受信モード時には、設定時間の規定時間前、たとえば５分前か否かを判別し、設定時間の規定時間前であると判別した場合に、ステップＳＴ１４２に進み、それ以外の場合にステップＳＴ１４１の処理に戻る。
【０１６５】
ステップＳＴ１４２において、制御回路１４は、上述したようにメモリ１４０２が記憶する受信周波数情報に対応する受信周波数にて、同調回路１１０１や周波数変換回路１１０２、…、時報検出回路１１０７により時報信号が受信されたか否かを判別し、受信されたと判別した場合にステップＳＴ１４３の処理に進み、それ以外の場合にステップＳＴ１４６の処理に進む。詳細には、時報検出回路１１０７が抽出した信号のレベルが閾値以上であるか否かを判別する。
【０１６６】
ステップＳＴ１４３において、制御回路１４は、時報信号が受信されたと判別した場合には、受信した時報信号に基づいて、内部時計１４０１が計時する時刻情報を修正する。
ステップＳＴ１４４において、制御回路１４は、内部時計１４０１が計時する時刻情報に基づいて、表示部２０やディスプレイ３０による表示時刻を修正する。
ステップＳＴ１４５において、制御回路１４は、発光手段である発光ダイオード（ＬＥＤ）１６を規定された時間間隔、たとえば４秒毎に点滅させることで、時報信号ｄを受信してその時報信号ｄを基に正常に時刻修正を行った旨を報知する。
【０１６７】
ステップＳＴ１４６において、制御回路１４は、ステップＳＴ１４２において、時報信号を受信しないと判別した場合に、設定時間（たとえば８日間）連続して受信できないか否かを判別し、設定時間連続して受信できないと判別した場合に、ステップＳＴ１４７の処理に進み、それ以外の場合にステップＳＴ１４１の処理に戻る。
【０１６８】
ステップＳＴ１４７において、制御回路１４は、放送電波の受信を中止して、メモリ１４０２に記憶されている受信周波数情報を破棄する。
ステップＳＴ１４８において、制御回路１４は、新たに時報信号を含む放送電波の受信周波数を特定する処理を行う。たとえば、上述したＡＭ放送電波強制受信モードなどに移行して、新たに時報信号を含む放送電波の受信周波数を特定する処理を行う。
【０１６９】
以上、説明したように、制御回路１４が、設定された受信周波数で、放送電波受信手段の一実施形態に相当する、予め規定された周波数の時報信号を規定時間含む放送電波を受信する同調回路１１０１、周波数変換回路１１０２、…、検波回路１１０６と、放送電波受信手段により受信した放送電波から時報信号に対応する周波数の信号を抽出する時報検出回路１１０７と、規定時間内に、放送電波受信手段の受信周波数を予め規定された受信周波数範囲内で制御し、時報検出回路１１０７が抽出した信号のレベルが閾値以上であると判別した場合に時報信号を含む放送電波の受信周波数を特定し、設定時刻に、特定した受信周波数にて放送電波受信手段が受信する時報信号に基づいて、内部時計１４０１が計時する時刻情報を修正する制御回路１４とを設けたので、簡単な処理により短時間に高精度に放送電波に含まれる時報信号を特定し、その時報信号に基づいて時刻修正を行うことができる。
【０１７０】
詳細には、制御回路１４が、内部時計による時刻情報に基づいて、時報信号が放送される時刻の前後所定時間、たとえば正時の１０分前後の間に、予め規定されたエリア内のサブエリア内で周波数スキャンして、たとえば閾値以上のレベルの時報信号が検出されたか否かに基づいて、時報信号の有無を判別し、時報信号を検出した場合に、メモリにその時報信号を含む放送電波の周波数を記憶し、所定時間後、たとえば放送局から時報信号が出力される予定時刻である、次の正時の前後所定時間の間に、メモリ１４０２に記憶している受信周波数情報に対応する受信周波数に周波数変換回路１１０２を設定して、再度その検出した時報信号の周波数にて放送電波を受信し、受信した放送電波に基づいて受信信号のレベルが閾値より高い場合に、時報信号を受信したと判別して、内部時計１４０１が計時する時刻情報に基づいて、その時報信号を検出した時刻（正時を示す００分００秒）と、内部時計１４０１が計時する時刻情報との差を小さくする好ましくはゼロとなるように、内部時計１４０１が計時する時刻情報を修正するので、簡単な処理により短時間に高精度に放送電波に含まれる時報信号を特定し、その時報信号に基づいて時刻修正を行うことができる。
【０１７１】
なお、本発明は本実施形態に限られるものではなく、任意好適な種々の変更が可能である。
【０１７２】
たとえば、本実施形態では標準電波や放送電波に含まれる時刻情報に基づいて、時刻修正を行ったがこの形態に限られるものではない。
また、時報信号を含む放送電波を受信して時刻修正を行う設定時刻は、上述した形態に限られるものではない。
【図面の簡単な説明】
【０１７３】
【図１】本発明の一実施形態に係る自動修正時計を採用した電波修正時計の機能ブロック図である。
【図２】図１に示した電波修正時計の詳細な機能ブロック図である。
【図３】図２に示した電波修正時計の電波受信系の一具体例を示す機能ブロック図である。
【図４】一般的なＡＭラジオ放送電波に毎正時付近に含まれる時報信号の一具体例を示す図である。
【図５】図１に示した電波修正時計１が受信する時報信号を説明するための図である。
【図６】図２に示した電波修正時計１の時報検出回路１１０７の一実施形態を示す機能ブロック図である。
【図７】本発明に係る制御回路における電波受信状態を説明するための図である。
【図８】標準時刻電波信号の時刻コードの一例を示している。（ａ）は毎時１５，４５分以外のフォーマット、（ｂ）は毎時１５分，４５分のフォーマットを示す。
【図９】図１に示した電波修正時計１の制御回路１４の動作を説明するための図である。
【図１０】図１に示した電波修正時計１の受信手段の選択に係る動作を説明するための図である。
【図１１】図１に示した電波修正時計１による受信周波数範囲を説明するための図である。
【図１２】図１に示した電波修正時計１の制御回路１４による時報信号ｄを特定する動作を説明するための図である。
【図１３】図１に示した電波修正時計の全体の動作を説明するためのフローチャートである。
【図１４】図１に示した電波修正時計１の他の実施形態を説明するためのフローチャートである。
【図１５】図１に示した電波修正時計１のＡＭ放送電波受信モード時の動作の一具体例を説明するためのフローチャートである。
【図１６】図１に示した電波修正時計１の自動受信モード時の動作の一具体例を説明するためのフローチャートである。
【符号の説明】
【０１７４】
１…電波修正時計、１１…電波受信系、１２…スイッチ群、１３…発振回路、１４…制御回路、１５…ドライブ回路、１６…発光素子、１７…バッファ回路、１８…ドライブ回路、２０…表示部、１２１…秒針用モータ（第一駆動源）、１３１…時分針用モータ（第２駆動源）、１４０…光検出センサ、１４２…発光素子、１４４…受光素子、１１００…放送電波受信部、１１０１…同調回路、１１０２…周波数変換回路、１１０３…局部発振回路、１１０４…周波数制御回路、１１０５…中間周波増幅回路、１１０６…検波回路、１１０７…時報検出回路、１１０８…標準電波（長波）受信回路、１４０１…内部時計、１４０２…メモリ。
【図１】
2006258475.tif 000004
【図２】
2006258475.tif 000005
【図３】
2006258475.tif 000006
【図４】
2006258475.tif 000007
【図５】
2006258475.tif 000008
【図６】
2006258475.tif 000009
【図７】
2006258475.tif 000010
【図８】
2006258475.tif 000011
【図９】
2006258475.tif 000012
【図１０】
2006258475.tif 000013
【図１１】
2006258475.tif 000014
【図１２】
2006258475.tif 000015
【図１３】
2006258475.tif 000016
【図１４】
2006258475.tif 000017
【図１５】
2006258475.tif 000018
【図１６】
2006258475.tif 000019